(57)【要約】【課題】植物の生育段階に合わせた照明装置の高さ調整と、作業性を考慮した栽培ベッドの高さ調整との両方を簡易な構造で実現する。【解決手段】本発明によれば、各支持フレーム２１〜２３を上下動させることにより、植物の生育に合わせて各段における照明装置４０と栽培ベッド５０間の間隔（ベッド・照明装置間隔ｃ１，ｃ２，ｃ３）を調整することができる。すなわち、照明装置４０だけでなく栽培ベッド５０の高さも変更できる構成でありながら、いずれの高さに調整しても、全ての段において一度の操作でベッド・照明装置間隔を適切に調整することができる。各支持フレーム２１〜２３を上下動させることで、栽培ベッド５０の高さを調整できるため、作業の必要に応じて各栽培ベッド５０を作業しやすい高さに調整することもできる。【選択図】  図１
2015126709.tif 000002
【特許請求の範囲】
【請求項１】
植物が植えられる栽培ベッドと、前記栽培ベッドの上方に配置される照明装置とが多段に配置されてなる植物栽培装置であって、
支柱部に上下方向に所定間隔をおいて複数設けられ、それぞれ、支持対象の前記栽培ベッドと、当該支持対象の栽培ベッドの下方に位置する他の栽培ベッド方向に光を照射する前記照明装置とを、共に支持する可動の支持フレームと、
前記各支持フレームを同期して上下動させる上下動手段と
を有し、
前記上下動手段によって、前記各支持フレームを、前記各栽培ベッド及び前記各照明装置と共に上下動させることにより、植物の生育段階に合わせて、前記各栽培ベッドと、当該各栽培ベッドの上方に位置し、当該各栽培ベッド方向に光を照射する対応する前記各照明装置との間のベッド・照明装置間隔を調整可能であり、かつ、作業時において前記各栽培ベッドの高さ調整が可能であることを特徴とする植物栽培装置。
【請求項２】
前記上下動手段は、前記各支持フレームを、前記各栽培ベッド及び前記各照明装置と共に上下動させることにより、前記ベッド・照明装置間隔を、各段の前記ベッド・照明装置間隔同士では常に同間隔を維持しつつ調整可能となるように設けられている請求項１記載の植物栽培装置。
【請求項３】
前記上下動手段は、前記各支持フレームに連結される吊り下げ線と、
前記吊り下げ線と前記各支持フレームとの間に設けられる複数の動滑車と
を備えてなり、
前記各動滑車の組み合わせによって、前記各支持フレームの移動量が設定されている請求項１又は２記載の植物栽培装置。
【請求項４】
前記各支持フレームのうち、最上部に配置された支持フレームの上方に、前記吊り下げ線を巻き取り又は巻き戻しする巻き取り軸を備えている請求項１〜３のいずれか１に記載の植物栽培装置。
【請求項５】
少なくとも最上部に配置される前記支持フレームは、前記照明装置を支持し、前記栽培ベッドを支持しない照明装置専用である請求項１〜４のいずれか１に記載の植物栽培装置。
【請求項６】
少なくとも最下部には、前記支柱部に固定配置された、前記栽培ベッド専用の支持フレームが設けられている請求項１〜５のいずれか１に記載の植物栽培装置。
【請求項７】
前記照明装置は略放射状に配置された光源ランプを有してなる請求項１〜６のいずれか１に記載の植物栽培装置。
【発明の詳細な説明】
【技術分野】
【０００１】
本発明は、人工光源を用いて植物を栽培する植物栽培装置に関する。
【背景技術】
【０００２】
従来、上下複数で栽培ベッドを支持し、各栽培ベッドの上方に人工光源としての照明装置を配置して植物を栽培するシステムが知られている。照明装置としては、蛍光灯、あるいは、消費電力の少ないＬＥＤなどが用いられている。照明装置を用いた栽培には、照明装置のみを光源として利用する場合と、太陽光の補光に照明装置を利用する場合とがあるが、いずれにしても、またたとえＬＥＤを用いる場合でも、栽培期間中、長時間に亘り点灯する必要があるため相当の消費電力となる。
【０００３】
一方、各栽培ベッドの上方に設けた照明装置からの照明光は、植物の生育段階において、例えば植物の高さが低い段階では外方に広がりやすく無駄が生じやすい。そこで、特許文献１〜４では、照明装置を高さ調整可能に設け、植物の生育段階に応じて照明装置を昇降させることで、照明装置と植物との距離を適切に保ち、照明光の無駄を少なくし、消費電力を低減させる技術が開示されている。
【先行技術文献】
【特許文献】
【０００４】
【特許文献１】特開２０１３−１５３６９１号公報
【特許文献２】特開２０１３−１７３９７号公報
【特許文献３】特開２０１２−１２５１９６号公報
【特許文献４】特開２０１２−９０５８３号公報
【発明の概要】
【発明が解決しようとする課題】
【０００５】
特許文献１〜４はいずれも照明装置を高さ調整可能にしているが、各栽培ベッドの高さは調整可能になっていない。植物栽培は、このような人工光源を用いたり、さらには、空調設備や自動給液設備などを併用したとしても、下葉処理、発病葉の除去、果実の収穫等、栽培期間中、各植物に対して人手により行わなければならない作業が多い。しかし、照明装置の昇降機構に加え、栽培ベッドの昇降機構を別途に設けることは植物栽培装置が複雑になりすぎ、またそれらの操作も煩雑となる。
【０００６】
本発明は上記に鑑みなされたものであり、植物の生育段階に合わせた照明装置の高さ調整と、作業性を考慮した栽培ベッドの高さ調整との両方を簡易な構造で実現でき、それらの高さ調整を簡易かつ効率的に行うことができる植物栽培装置を提供することを課題とする。
【課題を解決するための手段】
【０００７】
上記した課題を解決するため、本発明の植物栽培装置は、
植物が植えられる栽培ベッドと、前記栽培ベッドの上方に配置される照明装置とが多段に配置されてなる植物栽培装置であって、
支柱部に上下方向に所定間隔をおいて複数設けられ、それぞれ、支持対象の前記栽培ベッドと、当該支持対象の栽培ベッドの下方に位置する他の栽培ベッド方向に光を照射する前記照明装置とを、共に支持する可動の支持フレームと、
前記各支持フレームを同期して上下動させる上下動手段と
を有し、
前記上下動手段によって、前記各支持フレームを、前記各栽培ベッド及び前記各照明装置と共に上下動させることにより、植物の生育段階に合わせて、前記各栽培ベッドと、当該各栽培ベッドの上方に位置し、当該各栽培ベッド方向に光を照射する対応する前記各照明装置との間のベッド・照明装置間隔を調整可能であり、かつ、作業時において前記各栽培ベッドの高さ調整が可能であることを特徴とする。
【０００８】
前記上下動手段は、前記各支持フレームを、前記各栽培ベッド及び前記各照明装置と共に上下動させることにより、前記ベッド・照明装置間隔を、各段の前記ベッド・照明装置間隔同士では常に同間隔を維持しつつ調整可能となるように設けられていることが好ましい。
前記上下動手段は、前記各支持フレームに連結される吊り下げ線と、前記吊り下げ線と前記各支持フレームとの間に設けられる複数の動滑車とを備えてなり、前記各動滑車の組み合わせによって、前記各支持フレームの移動量が設定されている構成とすることが好ましい。
前記各支持フレームのうち、最上部に配置された支持フレームの上方に、前記吊り下げ線を巻き取り又は巻き戻しする巻き取り軸を備えていることが好ましい。
少なくとも最上部に配置される前記支持フレームは、前記照明装置を支持し、前記栽培ベッドを支持しない照明装置専用とすることができる。また、少なくとも最下部には、前記支柱部に固定配置された、前記栽培ベッド専用の支持フレームが設けられている構成とすることができる。
前記照明装置は略放射状に配置された光源ランプを有してなることが好ましい。
【発明の効果】
【０００９】
本発明によれば、各支持フレームを上下動させることにより、植物の生育に合わせて各段における照明装置と栽培ベッド間の間隔（ベッド・照明装置間隔）を調整することができる。好ましくは、照明装置と栽培ベッドを共通の支持フレームに支持させており、上下動手段によって各支持フレームを上下動させると、照明装置及び栽培ベッドが一緒に上下動するが、各段におけるベッド・照明装置間隔が広がったり狭くなったりしても、各段相互同士を比較すると、いずれの場合でも常に同間隔を維持する構成である。すなわち、照明装置だけでなく栽培ベッドの高さも変更できる構成でありながら、いずれの高さに調整しても、全ての段において一度の操作でベッド・照明装置間隔を適切に調整することができる。
【００１０】
その一方、本発明は、各支持フレームを上下動させることで、栽培ベッドの高さを調整できるため、作業の必要に応じて各栽培ベッドを作業しやすい高さに調整することもできる。
従って、本発明によれば、生育段階に合わせた照明装置の高さ調整を一度に行うことができると共に、作業時に一時的に上下動させることで、各段の栽培ベッドを所望の高さに調整することができる。
【図面の簡単な説明】
【００１１】
【図１】図１は、本発明の一の実施形態に係る植物栽培装置の構成を模式的に示した図である。
【発明を実施するための形態】
【００１２】
以下、図面に示した実施形態に基づき本発明をさらに詳細に説明する。図１は、本発明の一の実施形態に係る植物栽培装置１の概略構成を示した図である。図１に示したように、植物栽培装置１は、支柱部１０、支持フレーム２１〜２４、上下動手段３０、照明装置４０、栽培ベッド５０等を有して構成される。
【００１３】
支柱部１０は、植物工場の屋内のフロア、温室の地面などの支持面Ａ上に立設され、例えば、２〜５ｍ程度のものが使用される。支柱部１０は、図１の奥行き方向に所定間隔をおいて複数本設置される。また、図１では、後述する左右の栽培ベッド５０，５０間の中央に１列のみ示しているが、各栽培ベッド５０，５０の外側などに設置し、補助的な支柱フレーム（図示せず）などが配設される構造など、図１に示した構造に限定されるものではない。
【００１４】
支持フレーム２１〜２４は、支柱部１０に沿って上下方向に所定間隔をおいて設けられる（本実施形態では、上から順に、第１支持フレーム２１、第２支持フレーム２２、第３支持フレーム２３及び第４支持フレーム２４とする。）。支持フレーム２１〜２４は、全て可動であってもよいが、本実施形態では、最下部に配置される第４支持フレーム２４を支柱部１０に固定配置し、残りの３つの第１〜第３支持フレーム２１〜２３を可動に配置している。なお、支持フレーム２１〜２４の配置数はあくまで一例であり、限定されるものではない。第１〜第３支持フレーム２１〜２３を支柱部１０に沿って上下動可能にする手段としては、例えば、これらの支持フレーム２１〜２３の略中央部を保持する保持部材２１ａ，２２ａ，２３ａを設け、この保持部材２１ａ，２２ａ，２３ａを支柱部１０の長手方向に沿って移動可能に配置する手段を用いることができる。
【００１５】
上下動手段３０は、ワイヤ等からなる吊り下げ線３１を有している。吊り下げ線３１を上記した各支持フレーム２１〜２３又はそれらの保持部材２１ａ，２２ａ，２３ａに連結し、吊り下げ線３１の長さを調整することで、各支持フレーム２１〜２３の高さを調整できる。但し、支持フレーム２１〜２３は、保持部材２１ａ，２２ａ，２３ａを用いるかどうかも含め、吊り下げ線３１によって上下動可能である限り、その支持の仕方、連結の仕方等は限定されるものではない。
【００１６】
上下動手段３０は、上記の吊り下げ線３１に加え、複数の動滑車３２〜３５を備えて構成される。また、最上部に配置される第１支持フレーム２１の上方であって、該第１支持フレーム２１の上下動の妨げにならない位置に吊り下げ線３１を巻き取り巻き戻しする巻き取り軸３６を備えた巻き取り装置が配設されている。
【００１７】
本実施形態で用いた動滑車３２〜３５の組み合わせ例を具体的に説明する。本実施形態では、まず、最上部に位置する第１支持フレーム２１の保持部材２１ａに第１の動滑車３２を軸支する。支柱部１における第１の動滑車３２の上方位置に、第１の定滑車３７を軸支する。第１支持フレーム２１の最下降位置の下方における支柱部１０に第２の定滑車３８を軸支する。次に、第２の定滑車３８と第２支持フレーム２２の保持部材２２ａとの間に、第２及び第３の動滑車３３，３４がフレーム体３４０に保持されて２連で支持される。第４の動滑車３５は、第３支持フレーム２３の保持部材２３ａに軸支される。なお、第１及び第４の動滑車３２，３５は、いずれも保持部材２１ａ，２３ａに軸支しているが、支持フレーム２１，２３自体に軸支してももちろんよい。
【００１８】
本実施形態の吊り下げ線３１は１本ではなく、上側から下側に向かって、第１の吊り下げ線３１１、第２の吊り下げ線３１２、第３の吊り下げ線３１３及び第４の吊り下げ線３１４の４本の線材から構成されている。第１の吊り下げ線３１１は、巻き取り軸３６に一端３１１ａ側から巻き付けられており、該巻き取り軸３６から引き出された他端３１１ｂは、第１の動滑車３２に巻き掛けられた後、その上方に位置する第１の定滑車３７に巻き掛けられ、その後、第１の動滑車３２を回転軸３２０、あるいは保持部材２１ａ若しくは支持フレーム２１に固定される。
【００１９】
第２の吊り下げ線３１２は、一端３１２ａが最上部の保持部材２１ａ（又は第１支持フレーム２１）に固定され、他端３１２ｂが、２連の動滑車のうちの上部側に位置する第２の動滑車３３に下側から巻き掛けられた後、上方に位置する第２の定滑車３８に巻き掛けられその後下方に引き出されて、第２の動滑車３３の回転軸３３０に連結される。
【００２０】
第３の吊り下げ線３１３は、一端３１３ａが第３の動滑車３３の移動範囲の最下降位置と第２支持フレーム２２との間の適宜の固定部、例えば、支柱部１０に固定され、他端３１３ｂが第３の動滑車３３に上側から巻き掛けられた後、第２支持フレーム２２の保持部材２２ａ（又は第２支持フレーム２２）に固定される。
【００２１】
第４の吊り下げ線３１４は、一端３１４ａが第２支持フレーム２２の保持部材２２ａ（又は第２支持フレーム２２）に固定され、他端３１４ｂが第４の動滑車３５の下方を通過するように巻き掛けられた後上方に引き出され、第２支持フレーム２２と第３支持フレーム２３との間の適宜の固定部、例えば、支柱部１０に固定される。
【００２２】
ここで、各支持フレーム２１〜２４には、照明装置４０及び栽培ベッド５０が支持されるが、本実施形態では、最下部に位置する第４支持フレーム２４は上記したように固定配置され、栽培ベッド５０のみが支持される。これは第４支持フレーム２４の下方に植物を生育させる栽培ベッドが配置されないためである。第１支持フレーム２１、第２支持フレーム２２及び第３支持フレーム２３の各下部には、照明装置４０が支持される。第２支持フレーム２２及び第３支持フレーム２３の各上部には、栽培ベッド５０が支持される。本実施形態では、第１支持フレーム２１には栽培ベッドを支持させていない。栽培ベッド５０の植物に照明装置４０からの人工光を供給して生育する植物栽培装置１とする場合、第１支持フレーム２１はこのような構成にならざるを得ないが、温室などのように、最上段の栽培ベッドに十分な太陽光が供給されるような構成である場合には、中段、下段に配置される照明装置４０の照明は補光の役割を果たすだけであり、第１支持フレーム２１上に栽培ベッドを設置してもよいことはもちろんである。
【００２３】
第１、第２及び第３支持フレーム２１〜２３の各下部に配置される照明装置４０の光源ランプは、蛍光灯であってもよいが、消費電力の低減のためにはＬＥＤを用いることが好ましい。但し、ＬＥＤは指向性が高いため、図１に示したように、下方に位置する栽培ベッド５０の幅方向略中心を仮想中心とした略放射状に配置することが好ましい。
【００２４】
栽培ベッド５０は、例えば幅０．１〜０．５ｍ程度で、長さ（図１の奥行き方向）０．５〜５ｍ程度の栽培容器５１内に培地などが充填されて、適宜の植物が植えられている。なお、栽培ベッド５０を構成する栽培容器５１は、図１に示したように断面形状が略逆三角形のものであってもよいが、略四角形あるいは略Ｕ字型等の形状であってもよい。また、図１では、栽培容器５１を支持フレーム２２〜２４上に、支持脚５２，５２を設けて支持しているが、この支持の仕方も限定されるものではない。さらに、栽培容器５１を構成する素材も硬質プラスチックに限らず、フィルムを断面略Ｕ字型などのように設けて、その内部に培地を充填するようにしてもよい。いずれにしても、栽培ベッド５０は植物が植えられるものであれば、その構造、形式等は何ら制限されない。
【００２５】
次に、本実施形態の作用を説明する。
ここで、各栽培ベッド５０は、各支持フレーム２２〜２４上に配置したときに、両者を合わせた合計の高さ（各支持フレーム２２〜２４の下面から各栽培ベッド５０の上縁部までの高さ）ｅが３００ｍｍとなるものを用いている。また、第４支持フレーム２４に設置される栽培ベッド５０及びその上方に位置する第３支持フレーム２３の下部に配置される照明装置４０により、「下段」の栽培ベッド５０及び照明装置４０の対が構成され、第３支持フレーム２３に設置される栽培ベッド５０及びその上方に位置する第２支持フレーム２２の下部に設置される照明装置４０により、「中段」の栽培ベッド５０及び照明装置４０の対が構成され、第２支持フレーム２２に設置される栽培ベッド５０及びその上方に位置する第１支持フレーム２１の下部に設置される照明装置４０により、「上段」の栽培ベッド５０及び照明装置４０の対が構成される。
【００２６】
そして、第４支持フレーム２４上に栽培ベッド５０を配置した状態で、支持面Ａから当該栽培ベッド５０の上縁部までの高さａが４００ｍｍの位置となるように設置されている。上段、中段、下段の各栽培ベッド５０と各照明装置４０との間のベッド・照明装置間隔ｃ１，ｃ２，ｃ３（正確には、栽培ベッド５０の上縁部から対応する照明装置４０が取り付けられている支持フレーム２１〜２３の下面までの距離）を照明装置４０の最下降位置でいずれも３００ｍｍとなるように設置する。従って、照明装置４０の最下降位置では、下段の栽培ベッド５０の上縁部と中段の栽培ベッド５０の上縁部までの距離ｂ１と、中段の栽培ベッド５０の上縁部と上段の栽培ベッド５０の上縁部までの距離ｂ２はここでは共に６００ｍｍとなる。
【００２７】
この最下降位置から、植物の生長に応じて、上下動手段３０の巻き取り軸３６を回転させ、吊り下げ線３１のうち、直接的には第１の吊り下げ線３１１を巻き取る。それにより、第１支持フレーム２１が上昇するが、その際に第２及び第３支持フレーム２２，２３も同期して上昇する。このとき本実施形態では、第１〜第４の動滑車３２〜３５を用いているため次のように動作する。
【００２８】
仮に、巻き取り軸３６を回転させて第１の吊り下げ線３１１を巻き取って第１支持フレーム２１を３００ｍｍ上昇させる場合には、第１の動滑車３２を介して第１支持フレーム２１が支持されているため、巻き取り軸３６は第１の吊り下げ線３１１を９００ｍｍ巻き取る。すると、第２の吊り下げ線３１２は第２の動滑車３３に巻回され、第３の吊り下げ線３１３が第２の動滑車３３と２連になっている第３の動滑車３４に巻回されているため、第２支持フレーム２２は、２００ｍｍ（＝３００ｍｍ×（１／３）×２）上昇する。第３支持フレーム２３は第４の動滑車３５に巻回されているため、１００ｍｍ（＝２００ｍｍ×１／２）上昇する。
【００２９】
この結果、第４支持フレーム２４に支持された下段の栽培ベッド５０とその上方の照明装置４０との間のベッド・照明装置間隔ｃ１は、３００ｍｍ＋１００ｍｍ（第３支持フレーム２３の上昇分）＝４００ｍｍとなり、第３支持フレーム２３に支持された中段の栽培ベッド５０とその上方の照明装置４０との間のベッド・照明装置間隔ｃ２は、３００ｍｍ＋２００ｍｍ（第２支持フレーム２２の上昇分）−１００ｍｍ（第３支持フレーム２３の上昇分）＝４００ｍｍとなり、第２支持フレーム２２に支持された上段の栽培ベッド５０とその上方の照明装置４０との間のベッド・照明装置間隔ｃ３は、３００ｍｍ＋３００ｍｍ（第１支持フレーム２１の上昇分）−２００ｍｍ（第２支持フレーム２２の上昇分）＝４００ｍｍとなる。すなわち、本実施形態の動滑車３２〜３５の組み合わせによれば、上下動手段３０によって各支持フレーム２１〜２３を上下動させると、植物の生育に合わせて、各段相互間のベッド・照明間隔ｃ１，ｃ２，ｃ３は常に同じ間隔に維持しつつ上下動させることができる。
【００３０】
このように植物の生育段階に合わせてベッド・照明装置間隔ｃ１，ｃ２，ｃ３を広げると、本実施形態では、各段の栽培ベッド５０も一緒に上昇する。上記の例では、下段の栽培ベッド５０の上縁部と中段の栽培ベッド５０の上縁部までの距離ｂ１は、６００ｍｍ＋１００ｍｍ（第３支持フレーム２３の上昇分）＝７００ｍｍとなり、中段の栽培ベッド５０の上縁部と上段の栽培ベッド５０の上縁部までの距離ｂ２は、６００ｍｍ＋２００ｍｍ（第２支持フレーム２２の上昇分）−１００ｍｍ（第３支持フレーム２３の上昇分）＝７００ｍｍとなる。従って、第２支持フレーム２２に支持されている上段の栽培ベッド５０の支持面Ａからの高さは、１６００ｍｍから１７００ｍｍに上昇する。植物への手入れ作業は、作業者が無理のない姿勢で行えることが望ましいが、高さが１７００ｍｍになると、多くの場合、作業者の胸元付近よりも高い位置となり、作業を行いにくい。
【００３１】
この高さは、上記のように、植物の生長に合わせてベッド・照明装置間隔ｃ１，ｃ２，ｃ３を広げるように調整した結果であり、植物への効率的な光条件を満たす上で必要な高さであるが、作業時間の間、例えば、１日のうち、５〜３０分前後であれば、ベッド・照明装置間隔ｃ１，ｃ２，ｃ３よりも、栽培ベッド５０の高さを作業の行い易い高さに調整しても、植物の生長への悪影響はない。そこで、本実施形態では、例えば、上段の栽培ベッド５０への作業を行う場合、巻き取り軸３６を上記と逆方向に回転させて、支持面Ａからの高さが１６００ｍｍとなるように下降させる。それにより、作業性を高めることができる。作業終了後、再び、支持面Ａからの高さが１７００ｍｍとなるように巻き取り軸３６を回転させて調整すればよい。
【００３２】
もちろん、例えば、第３支持フレーム２３に支持された中段の栽培ベッド５０に植えられた植物に作業を行う場合に、より高くした方が作業を行いやすい場合には、巻き取り軸３６でさらに吊り下げ線３１を巻き取り、より高い位置に調整し、作業を行った後、もとの高さに下げるようにしてもよい。
【００３３】
いずれにしても、本実施形態によれば、上下動装置３０の巻き取り軸３６によって吊り下げ線３１を巻き取り又は巻き戻しするだけの操作で、ベッド・照明装置間隔ｃ１，ｃ２，ｃ３を植物の生長に合わせて調整できるだけでなく、栽培ベッド５０の高さを作業の行いやすい高さに容易に調整することができる。しかも、上記のように各支持フレーム２１〜２３を動滑車３２〜３５の組み合わせを介して支持して上下動させているため、引き上げ荷重を軽減できる。従って、巻き取り軸３６は手動又は電動のいずれでもよいが、巻き上げトルクを軽減でき、その点でも省エネルギー化に適している。
【００３４】
なお、上記した説明では、可動に設けられた各支持フレーム２１〜２３の上下移動量を、動滑車３２〜３５の上記組み合わせにより、高さ調整を行っても、ベッド・照明装置間隔ｃ１，ｃ２，ｃ３が相互間で常に同間隔となるように設定している。各段の栽培ベッド５０では、通常、同時期に植えた同じ植物を生育させるため、上記のように、ベッド・照明装置間隔ｃ１，ｃ２，ｃ３が相互間で常に同間隔となるよう調整できることで、各段の栽培ベッド５０で生育する植物の生長に合った調整を一度に行うことができ好ましい。しかしながら、例えば、各段の栽培ベッド５０に植えた植物の種類が異なっていたり、定植時期にずれがあったりして、植物の生育高さに違いがある場合等においては、動滑車の組み合わせなどによって、ベッド・照明装置間隔ｃ１，ｃ２，ｃ３を、段によって異ならせることも可能である。この場合であっても、各支持フレームには栽培ベッドと照明装置が共に支持されているため、高さ調整を同期して行うことができるという利点は同様である。
【００３５】
また、吊り下げ線３１として、第１〜第４の吊り下げ線３１１〜３１４の４本用いているが、この吊り下げ線の設け方はあくまで一例であり、上記した動滑車３２〜３５の組み合わせと同様、種々の設け方が可能である。
【００３６】
また、本実施形態では、最下部に位置する第４支持フレーム２４を上記したように固定配置しているが、第４支持フレーム２４を含め、全て可動の支持フレームにしてもよいことは上記したとおりである。また、支持フレームの段数も何ら制限されるものではない。
【符号の説明】
【００３７】
１  植物栽培装置
１０  支柱部
２１〜２４  支持フレーム
３０  上下動手段
３１  吊り下げ線
３２〜３５  動滑車
４０  照明装置
５０  栽培ベッド
【図１】
2015126709.tif 000003